(57)【要約】【課題】外部からの塵の侵入を防止するだけでなく、振動等による、擦れ、摩耗等による内部での塵の発生を防止でき、被写体画像データに支障をきたさない撮像装置を得る。【解決手段】撮像素子と、撮像光学系と、撮像素子と撮像光学系を内包する外枠部材と、を有し、撮像光学系を構成する光学部材に、筒状部と筒状部よりも被写体側の外周に突起部を形成し、外枠部材に、筒状部と嵌合する穴部と、突起部と嵌合する溝部を形成した撮像装置、とする。【選択図】        図３
2005043394.tif 000002
【特許請求の範囲】
【請求項１】
撮像素子と、前記撮像素子の撮像領域に被写体光を導く撮像光学系と、前記撮像光学系を内包する外枠部材と、を有し、
前記撮像光学系を構成する光学部材に、筒状部と突起部を形成し、
前記外枠部材に、前記筒状部と嵌合する穴部と、前記突起部と嵌合する溝部を形成し、
前記筒状部と前記穴部の嵌合を妨げない位置に前記突起部を配置したことを特徴とする撮像装置。
【請求項２】
前記撮像装置は弾性部材を有し、前記撮像光学系を前記撮像素子方向へ付勢することを特徴とする請求項１に記載の撮像装置。
【請求項３】
前記筒状部に脚部を形成し、前記脚部は前記撮像素子に当接していることを特徴とする請求項１又は２に記載の撮像装置。
【請求項４】
前記外枠部材は、前記溝部と対称な方向にも溝部を有し、前記光学部材は前記突起部と対称な方向に前記突起部の幅より小さい幅のゲートを有することを特徴とする請求項１〜３のいずれか１項に記載の撮像装置。
【請求項５】
撮像素子と、該撮像素子に当接する脚部が形成された台座と、該台座に当接する当接部が形成され前記撮像素子の撮像領域に被写体光を導く撮像光学系と、前記台座と前記撮像光学系を内包する外枠部材と、を有し、
前記台座に、筒状部と突起部を形成し、
前記外枠部材に、前記筒状部と嵌合する穴部と、前記突起部と嵌合する溝部を形成し、
前記筒状部と前記穴部の嵌合を妨げない位置に前記突起部を配置したことを特徴とする撮像装置。
【請求項６】
前記撮像装置は弾性部材を有し、前記撮像光学系を前記撮像素子方向へ付勢することを特徴とする請求項５に記載の撮像装置。
【請求項７】
前記台座は、遮光性を有する材料で成形されると共に、視野絞りを形成していることを特徴とする請求項５又は６に記載の撮像装置。
【請求項８】
前記外枠部材は、前記溝部と対称な方向にも溝部を有し、前記台座は、前記突起部と対称な方向に前記突起部の幅より小さい幅のゲートを有することを特徴とする請求項５〜７のいずれか１項に記載の撮像装置。
【請求項９】
前記弾性部材が組み込まれた状態での付勢力をＦ、前記脚部１箇所の当接面の面積をＳとしたとき、
０．００４９Ｎ≦Ｆ≦１．４７Ｎ
０．０３ｍｍ２≦Ｓ
を満足することを特徴とする請求項２〜４又は請求項６〜８のいずれか１項に記載の撮像装置。
【請求項１０】
前記脚部は複数箇所設けられており、前記脚部の当接面は、前記撮像素子の光電変換面の長辺側であって、短辺と平行で短辺に対して０．４ｍｍ外側に位置する線に挟まれた範囲内、もしくは前記撮像素子の光電変換面の短辺側であって、長辺と平行で長辺に対して０．４ｍｍ外側に位置する線に挟まれた範囲内に配置されたことを特徴とする請求項５〜９のいずれか１項に記載の撮像装置。
【請求項１１】
前記溝部は、前記撮像素子の撮像面の対角方向に形成されていることを特徴とする請求項１〜１０のいずれか１項に記載の撮像装置。
【請求項１２】
前記撮像光学系は複数の光学部材で構成され、該光学部材は相互に当接していることを特徴とする請求項１〜１１のいずれか１項に記載の撮像装置。
【請求項１３】
請求項１〜１２のいずれか１項に記載の撮像装置を備えたことを特徴とする携帯端末。
【発明の詳細な説明】
【０００１】
【発明の属する技術分野】
本発明は、携帯電話機やモバイルコンピュータ等の携帯端末に搭載可能な撮像装置及びその撮像装置を搭載した携帯端末に関するものである。
【０００２】
【従来の技術】
従来より、小型で薄型の撮像装置が携帯電話機やパーソナルコンピュータ等の小型、薄型の電子機器に搭載されるようになっており、これにより遠隔地へ音声情報だけでなく画像情報も相互に伝送することが可能となっている。
【０００３】
これら撮像装置には、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子が使用されている。
【０００４】
これらの固体撮像素子は、光電変換をおこなう受光部の各々が数μｍピッチで配置されており、このため、受光素子の上に配置されたマイクロレンズ上に、被写体光束を遮る塵があると被写体画像データに支障をきたすことになる。
【０００５】
これに対し、撮像装置の撮像光学系の位置設定方法と防塵方法に関して提案がなされている。例えば、撮像装置の製造時のピント調整を不要とすべく、光学部材と一体で形成された脚部を撮像素子に当接させ、弾性部材で光学部材を撮像素子方向に付勢し、撮像素子と光学部材の光軸方向の位置決めをおこなうと共に、光学部材の外周の一部をＤカットして回転方向の位置決めとして構成し、外枠部材である鏡枠で覆うことにより防塵、防湿の構造としたものが開示されている（例えば、特許文献１参照）。
【０００６】
【特許文献１】
特開２００２−３４１２１８号公報
【０００７】
【発明が解決しようとする課題】
上記特許文献１に記載の撮像装置は、撮像素子と光学部材との光軸方向の位置決めに調整工程を要せず簡便で、外部からの塵の侵入を防止できる有効な方法であるが、微振動等が長時間かかると、撮像装置内部においては以下のような問題がある。
【０００８】
図９は、従来のＤカットによる回転方向の位置決めをおこなう場合の断面を示す図である。同図（ａ）において、８１は光学部材であり、８２は鏡枠の内周を示している。同図（ａ）に示すように、光学部材８１は外周の一部８３でＤカットされている。鏡枠の内周８２は円弧部と直線部８４で、この光学部材８１の円弧部とＤカット部８３を所定のクリアランスＣで取り囲むことにより、光学部材８１の回転を阻止するように構成されている。
【０００９】
しかし、Ｄカットでは同図（ｂ）に示すようにクリアランスＣのなかで、光学部材８１のＤカット部８３と円弧部との接点８５が、鏡枠の直線部８４に当接する位置、即ち図中のＤで示す角度の２倍だけは鏡枠の中で回動が可能となる。この回動による円周方向の移動量は、クリアランスＣよりも遙かに大きい量となる。
【００１０】
このため、微振動が長時間かかると、光学部材の脚部と撮像素子の当接部が角度２Ｄの範囲内で回動し小擦れ合いを繰り返し、これにより摩耗による塵が発生し、撮像素子上面に付着して被写体光束が遮られ、被写体画像データに支障をきたす問題を発生させる場合がある。
【００１１】
本発明は、上記問題に鑑み、外部からの塵の侵入を防止するだけでなく、振動等による、擦れ、摩耗等による内部での塵の発生を防止でき、被写体画像データに支障をきたさない撮像装置及び該撮像装置を備えた携帯端末を得ることを目的とするものである。
【００１２】
【課題を解決するための手段】
上記の課題は、以下の構成により解決される。
【００１３】
１）  撮像素子と、前記撮像素子の撮像領域に被写体光を導く撮像光学系と、前記撮像光学系を内包する外枠部材と、を有し、前記撮像光学系を構成する光学部材に、筒状部と突起部を形成し、前記外枠部材に、前記筒状部と嵌合する穴部と、前記突起部と嵌合する溝部を形成し、前記筒状部と前記穴部の嵌合を妨げない位置に前記突起部を配置したことを特徴とする撮像装置、とすることで解決される。
【００１４】
２）  前記撮像装置は弾性部材を有し、前記撮像光学系を前記撮像素子方向へ付勢する１）の撮像装置、とすることが望ましく、撮像光学系に光軸方向の衝撃力が直接伝わらず、信頼性の高い撮像装置を得ることができる。
【００１５】
３）  前記筒状部に脚部を形成し、前記脚部は前記撮像素子に当接している１）又は２）の撮像装置、とすることが望ましく、撮像素子と撮像光学系の光軸方向の位置決めを他の部材を介さずに、ばらつき無くおこなうことができるようになる。
【００１６】
４）  前記外枠部材は、前記溝部と対称な方向にも溝部を有し、前記光学部材は前記突起部と対称な方向に前記突起部の幅より小さい幅のゲートを有する１）〜３）のいずれかの撮像装置、とすることが望ましく、撮像光学系を１８０度回転しても組み込みを可能とできる。
【００１７】
５）  撮像素子と、該撮像素子に当接する脚部が形成された台座と、該台座に当接する当接部が形成され前記撮像素子の撮像領域に被写体光を導く撮像光学系と、前記台座と前記撮像光学系を内包する外枠部材と、を有し、前記台座に、筒状部と突起部を形成し、前記外枠部材に、前記筒状部と嵌合する穴部と、前記突起部と嵌合する溝部を形成し、前記筒状部と前記穴部の嵌合を妨げない位置に前記突起部を配置したことを特徴とする撮像装置、とすることでも解決される。
【００１８】
６）  前記撮像装置は弾性部材を有し、前記撮像光学系を前記撮像素子方向へ付勢する５）の撮像装置、とすることが望ましく、上記２）と同様に撮像光学系に光軸方向の衝撃力が直接伝わらず、信頼性の高い撮像装置を得ることができる。
【００１９】
７）  前記台座は、遮光性を有する材料で成形されると共に、視野絞りを形成している５）又は６）の撮像装置、とすることが望ましく、撮像素子近傍の台座に遮光性の部材で視野絞り及び脚部を形成することで内面反射を削減でき被写体画像のコントラストの低下を防ぐことができる。
【００２０】
８）  前記外枠部材は、前記溝部と対称な方向にも溝部を有し、前記台座は、前記突起部と対称な方向に前記突起部の幅より小さい幅のゲートを有する５）〜７）のいずれかの撮像装置、とすることが望ましく、上記４）と同様に撮像光学系を１８０度回転しても組み込みを可能とできる。
【００２１】
９）  前記弾性部材が組み込まれた状態での付勢力をＦ、前記脚部１箇所の当接面の面積をＳとしたとき、
０．００４９Ｎ≦Ｆ≦１．４７Ｎ
０．０３ｍｍ２≦Ｓ
を満足する２）〜４）又は６）〜８）のいずれかの撮像装置、とすることが望ましく、撮像光学系もしくは撮像光学系と台座が自重に抗し、常に撮像素子に当接させるための最小の付勢力が確保され、弾性部材の最大の付勢力に抗して、上面枠が適切に組み込みでき、脚部に最大の付勢力が掛かったとしても折れること無く、また細すぎることによる付勢力の集中に対し摩耗や、撮像素子面を傷つけることのない撮像装置を得ることができる。
【００２２】
１０）  前記脚部は複数箇所設けられており、前記脚部の当接面は、前記撮像素子の光電変換面の長辺側であって、短辺と平行で短辺に対して０．４ｍｍ外側に位置する線に挟まれた範囲内、もしくは前記撮像素子の光電変換面の短辺側であって、長辺と平行で長辺に対して０．４ｍｍ外側に位置する線に挟まれた範囲内に配置された５）〜９）のいずれかの撮像装置、とすることが望ましく、撮像素子の小型化や撮像光学系の小型化に対しても、充分な当接面積を確保すると共に電極パッドを効率的に配置することができるようになる。
【００２３】
１１）  前記溝部は、前記撮像素子の撮像面の対角方向に形成されている１）〜１０）のいずれかの撮像装置、とすることが望ましく、撮像装置の大型化を防止できる。
【００２４】
１２）  前記撮像光学系は複数の光学部材で構成され、該光学部材は相互に当接している１）〜１１）のいずれかの撮像装置、とすることが望ましく、光学系が複数の光学部材であっても、ばらつき無く組み立てができるようになる。
【００２５】
１３）  １）〜１２）のいずれかの撮像装置を備えたことを特徴とする携帯端末、とすることで、上記の効果を有する撮像装置を備えた携帯端末を得ることが可能となる。
【００２６】
【発明の実施の形態】
以下、実施の形態により本発明を詳しく説明するが、本発明はこれに限定されるものではない。
【００２７】
図１は、本発明の撮像装置を内蔵した携帯端末の一例である携帯電話機Ｔの外観図である。
【００２８】
同図に示す携帯電話機Ｔは、表示画面Ｄを備えたケースとしての上筐体７１と、操作ボタンＰを備えた下筐体７２とがヒンジ７３を介して連結されている。撮像装置Ｓは、上筐体７１内の表示画面Ｄの下方に内蔵されており、撮像装置Ｓが上筐体７１の外表面側から光を取り込めるよう配置されている。
【００２９】
なお、この撮像装置の位置は上筐体７１内の表示画面Ｄの上方や側面に配置してもよい。また携帯電話機は折りたたみ式に限るものではないのは、勿論である。
【００３０】
（第１の実施の形態）
図２は、本発明の第１の実施の形態の撮像装置１００の斜視図である。同図の撮像装置１００が、図１における撮像装置Ｓに相当する。
【００３１】
図２に示すように撮像装置１００の外表面は、撮像素子の実装されたプリント基板１１と、携帯端末の他の制御基板に接続のためのコネクト基板１７、このプリント基板１１とコネクト基板１７を接続するフレキシブルプリントＦＰＣ、レモン状横断面の上部１２ａと四辺形の下部１２ｂで形成された外枠部材１２、この外枠部材１２の上面に組み込まれる蓋部材１３で構成されている。
【００３２】
外枠部材１２の対角方向には、リブ１２ｃが光軸Ｏに対称に２箇所形成されている。また、もう一方の対角方向には、リブ１２ｃより厚みの薄いリブ１２ｅが光軸Ｏに対称に２箇所形成されている。このリブ１２ｃと１２ｅは、上述の携帯電話機等に組み込む際の回転方向の規制部となり、厚みを異なるように形成することにより、９０度回転させて組み込めないようになっている。
【００３３】
また、リブの上面１２ｄと１２ｆは、携帯電話機等に組み込む際の光軸方向の位置決めとして使用され、携帯電話機等の外装内側の当接部に当接されるよう構成されている。更に、この２箇所のリブ１２ｃの上面１２ｄは、φ１ｍｍのニードルが接触可能な面積を持つ平面で形成され、組み立て時には、この面１２ｄにニードルを当て、サクションで持ち上げて移動させ組み込みをおこなうことに用いられるようになっている。
【００３４】
図３は、撮像装置１００を図２に示すＦ−Ｆ線で切断した断面図である。以下の図においては、説明の重複を避けるため同部材には同符号を付して説明する。
【００３５】
同図において、外枠部材１２の内部は、被写体側より第１レンズ１、撮像光学系の開口Ｆ値を決める開口絞り４、第２レンズ２、不要光遮断のための固定絞り５ａ、５ｂ、第３レンズ３、で構成された撮像光学系５０と、プリント基板１１上に実装された撮像素子８、弾性部材である圧縮コイルバネ９、上面枠１４、赤外カットフィルタ７、蓋部材１３で構成されている。
【００３６】
撮像光学系５０は、図示のように第１レンズ１、第２レンズ２、第３レンズ３を、光学有効面以外のフランジ部で相互に当接させ、接着剤等で互いに固着することでユニット化されており、他の部材を介さず構成することで、相互のレンズ間隔の誤差を最少に組み立てることが可能となる。
【００３７】
本発明に係る光学部材である撮像光学系５０の第３レンズ３の撮像面側には、第３レンズ３のフランジ部３ｆから円筒形の筒状部３ｂが形成され、更に脚部３ｄがこの筒状部３ｂに複数箇所（本例では４箇所）形成されており、圧縮コイルバネの弾性部材９により、第３レンズ３は撮像素子８側へ付勢され、光電変換面側の面に当接している。また、この筒状部３ｂより被写体側のフランジ部３ｆの外周には、光軸Ｏ周りの位置決め用の突起部３ｔが形成され、更に光軸Ｏに対して対称な位置に第３レンズ３の成形のためのゲート３ｇが形成されている。このゲート３ｇの幅は、突起部３ｔの幅より小さい幅で形成されている。
【００３８】
一方、外枠部材１２の内部では、第３レンズ３の筒状部３ｂに沿った外周に、嵌合するように形成された穴部１２ｇが形成されており、この嵌合を妨げないように、穴部１２ｇより被写体側に位置する位置決め用の突起部３ｔとゲート３ｇに対応する位置にはそれぞれ溝部１２ｈ、１２ｊが形成されている。更に外枠部材１２とプリント基板１１は、図示のように外周部で例えば紫外線硬化型の接着剤Ｂにより封止されている。
【００３９】
図４は、撮像装置１００を、弾性部材９、上面枠１４、赤外カットフィルタ７、蓋部材１３を取り外し上面から見た図である。
【００４０】
同図に示すように、第３レンズのフランジ部３ｆに形成された位置決め用の突起部３ｔは、外枠部材に形成された溝部１２ｈに嵌合され、ゲート３ｇはその対角方向で溝部１２ｊに組み込まれる。同図で明らかなように、外枠部材は光軸に対称に２箇所に同じ幅の溝部１２ｈ、１２ｊを有し、位置決め用突起部３ｔの幅と溝部１２ｈ又は１２ｊの幅は嵌合するよう形成され、ゲート３ｇは位置決め用突起部３ｔより小さい幅で形成されており、第３レンズ即ち撮像光学系５０は１８０度回転させても組み込みが可能になっている。
【００４１】
即ち、撮像装置１００は、第３レンズ３に形成された筒状部３ｂより被写体側の外周に形成された位置決め用突起部３ｔと外枠部材に形成された溝部１２ｈ又は１２ｊとを嵌合することにより、光軸周りの回動はクリアランス分のみとなり、がたつきを最小限に抑えることができ、振動等による、擦れ、摩耗等による内部での塵の発生が防止できると共に、筒状部３ｂと外枠部材の穴部１２ｇで嵌合する（図３参照）ことで、この穴部１２ｇより被写体側にある塵が撮像素子８側へ移動することを阻止することが可能となる。
【００４２】
（第２の実施の形態）
図５は、本発明の第２の実施の形態の撮像装置２００の斜視図である。同図の撮像装置２００が、図１における撮像装置Ｓに相当する。
【００４３】
同図に示すように撮像装置２００の外表面は、撮像素子の実装されたプリント基板１１と、携帯端末の他の制御基板に接続のためのコネクト基板１７、このプリント基板１１とコネクト基板１７を接続するフレキシブルプリントＦＰＣ、レモン状横断面の上部１２ａと四辺形の下部１２ｂで形成された外枠部材１２、この外枠部材１２の上面に組み込まれる蓋部材１３で構成されている。
【００４４】
外枠部材１２には、リブ１２ｋが光軸Ｏに対称に２箇所形成されている。このリブ１２ｋは、上述の携帯電話機等に組み込む際の回転方向の規制部である。
【００４５】
また、リブ１２ｋの上面は、携帯電話機等に組み込む際の光軸方向の位置決めとして使用され、携帯電話機等の外装内側の当接部に当接されるよう構成されている。
【００４６】
図６は、撮像装置２００を図５に示すＧ−Ｇ線で切断した断面図である。
同図において、外枠部材１２の内部は、被写体側より第１レンズ１、第２レンズ２、不要光遮断のための固定絞り５ａ、５ｂ、で構成された撮像光学系６０と、台座６、プリント基板１１上に実装された撮像素子８、弾性部材である圧縮コイルバネ９、上面枠１４、赤外カットフィルタ７、蓋部材１３、で構成されている。
【００４７】
撮像光学系６０は、図示のように第１レンズ１、第２レンズ２を、光学有効面以外のフランジ部で相互に当接させ、接着剤等で互いに固着することでユニット化されており、他の部材を介さず構成することで、相互のレンズ間隔の誤差を最少に組み立てることが可能となる。
【００４８】
本発明に係る台座６は、円筒形の筒状部６ｂが形成され、更に脚部６ｄがこの撮像素子８側に４箇所、視野絞り６ｓと共に一体成形されている。この脚部６ｄは、圧縮コイルバネの弾性部材９により、第２レンズ２を介し撮像素子８側へ付勢され、光電変換面側の面に当接している。また、この筒状部６ｂの被写体側の外周には、光軸Ｏ周りの位置決め用の突起部６ｔが形成され、更に光軸Ｏに対して対称な位置にこの台座６の成形のためのゲート６ｇが形成されている。このゲート６ｇの幅は、突起部６ｔの幅より小さい幅で形成されている。
【００４９】
一方、外枠部材１２の内部では、台座６の筒状部６ｂに沿った外周に、嵌合するように穴部１２ｇが形成されており、この嵌合を妨げないように、穴部１２ｇより被写体側に位置する位置決め用の突起部６ｔとゲート６ｇに対応する位置には、それぞれ溝部１２ｈ、１２ｊが形成されている。更に外枠部材１２とプリント基板１１は、図示のように外周部で例えば紫外線硬化型の接着剤Ｂにより封止されている。
【００５０】
なお、この台座６は、遮光性の材料で成形されることが望ましく、こうすることで内面反射等の不要光を防止でき、視野絞り等も一体で形成することによりコストダウンも可能となる。
【００５１】
図７は、撮像装置２００を、弾性部材９、撮像光学系６０、上面枠１４、赤外カットフィルタ７、蓋部材１３を取り外し上面から見た図である。
【００５２】
同図に示すように、台座６に形成された位置決め用の突起部６ｔは、外枠部材に形成された溝部１２ｈに嵌合され、ゲート６ｇはその対角方向で溝部１２ｊに組み込まれる。同図で明らかなように、外枠部材は光軸に対称に２箇所に同じ幅の溝部１２ｈ、１２ｊを有し、位置決め用突起部６ｔの幅と溝部１２ｈ又は１２ｊの幅は嵌合するよう形成され、ゲート６ｇは位置決め用突起部６ｔより小さい幅で形成されており、台座６は１８０度回転させても組み込みが可能になっている。
【００５３】
即ち、撮像装置２００は、台座６に形成された筒状部６ｂの被写体側の外周に形成された位置決め用突起部６ｔと外枠部材に形成された溝部１２ｈ又は１２ｊとを嵌合することにより光軸周りの回動を最小限に抑えることができ、振動等による、擦れ、摩耗等による内部での塵の発生が防止できると共に、筒状部６ｂと外枠部材の穴部１２ｇで嵌合する（図６参照）ことで、この穴部１２ｇより被写体側にある塵が撮像素子８側へ移動することを阻止することが可能となる。
【００５４】
なお、上記の第１及び第２の実施の形態において説明した撮像装置１００及び２００の外枠部材１２に形成された溝部１２ｈ、１２ｊは、撮像素子に対しその対角方向に形成することが望ましい。この様な配置にすることにより、外枠部材の外形の大型化を防止できる。
【００５５】
また、光学部材又は台座に形成した筒状部とこの筒状部に嵌合する外枠部材に形成した穴部を円形のもので説明したが、筒状部と穴部を矩形に形成しても良い、更に、弾性部材を圧縮コイルバネで説明したが板バネ、ウレタン等で形成した弾性部材であっても良いのは勿論である。
【００５６】
また、上記の第１及び第２の実施の形態においては、光学部材又は台座に形成される脚部の撮像素子との当接面形状を円形のもので説明したが、円弧状、楕円形、矩形その他の形状に形成してもよい。
【００５７】
図８は、台座に形成される脚部の撮像素子との当接面形状の例を示した図である。同図（ａ）〜（ｄ）において、８は撮像素子、８ｋは撮像素子８上に形成された光電変換面、６ｆは台座６に形成された脚部の当接面形状を示している。
【００５８】
同図（ａ）は、脚部６ｄの当接面６ｆの形状を、撮像素子８上で光電変換面８ｋの長辺方向に沿って２箇所としたものである。この当接面６ｆは、撮像素子８の光電変換面８ｋの長辺側であって、破線で示す短辺と平行で短辺に対して０．４ｍｍ外側に位置する線に挟まれた範囲内に配置されている。
【００５９】
同図（ｂ）は、脚部６ｄの当接面６ｆの形状を、撮像素子８上で光電変換面８ｋの短辺方向に沿って２箇所としたものである。この当接面６ｆは、撮像素子８の光電変換面８ｋの短辺側であって、破線で示す長辺と平行で長辺に対して０．４ｍｍ外側に位置する線に挟まれた範囲内に配置されている。
【００６０】
同図（ｃ）は、脚部６ｄの当接面６ｆの形状を、撮像素子８上で光電変換面８ｋの長辺方向に沿って３箇所としたものである。この３箇所の当接面６ｆは、撮像素子８の光電変換面８ｋの長辺側であって、破線で示す短辺と平行で短辺に対して０．４ｍｍ外側に位置する線に挟まれた範囲内に配置されている。
【００６１】
同図（ｄ）は、脚部６ｄの当接面６ｆの形状を、撮像素子８上で光電変換面８ｋの短辺方向に沿って３箇所としたものである。この３箇所の当接面６ｆは、撮像素子８の光電変換面８ｋの短辺側であって、破線で示す長辺と平行で長辺に対して０．４ｍｍ外側に位置する線に挟まれた範囲内に配置されている。
【００６２】
撮像素子８は、この当接面を避けたその外周近傍に図示しない電気的接続用の電極パッドが形成されている。
【００６３】
このようにすることで、撮像素子８上の光電変換面８ｋの周囲で当接面６ｆを避けた位置を選択して電極パッドを配置することや、当接面６ｆの配置されていない辺に集中的に電極パッドを配置することが可能となり、撮像素子の小型化や撮像光学系の小型化に対しても、当接面と電極パッドの面積効率のよい配置が可能になる。
【００６４】
なお図８では、当接面が２箇所のものと、３箇所のものとで説明したが、４箇所或いはそれ以上としてもよいのは勿論である。
【００６５】
本発明の撮像装置１００及び２００では、撮像光学系の脚部もしくは台座の脚部を撮像装置に当接させる時の、弾性部材による付勢力は０．００４９Ｎ以上、１．４７Ｎ以下であることが望ましい。
【００６６】
この条件を満足することにより、姿勢差に対し、撮像光学系もしくは撮像光学系と台座が自重に抗し、常に撮像素子に当接させるための最小の付勢力が確保され、弾性部材の最大の付勢力に抗して、上面枠が適切に組み込みできることになる。
【００６７】
また、前述の脚部の当接面は１箇所あたり０．０３ｍｍ２以上の面積を有することが望ましい。
【００６８】
この条件を満足することにより、脚部に最大の付勢力が掛かったとしても折れること無く、また細すぎることにより付勢力が集中し摩耗や、撮像素子面を傷つけることを防止することが可能となる。
【００６９】
なお、本発明の撮像装置は携帯端末に内蔵可能なように小型化され、撮像素子の面積は、１８ｍｍ２〜３５ｍｍ２程度であり、このうち遮ってはいけない光電変換部の面積が上記の撮像素子面積の３０％〜３５％を占めるため、当接面の取り得る最大面積は１２ｍｍ２〜２４ｍｍ２程度が上限と考えられ、実質的には電極パッド部の面積やクリアランスを除き、これより小さい面積の当接面が配置されることになる。
【００７０】
なお、上述の第１〜第２の実施の形態においては、単焦点の撮像装置を用いて説明したが、本発明はこれに限らずズームレンズ等の可変焦点の光学系にも適用可能なのは言うまでもない。
【００７１】
【発明の効果】
以上説明したように、外部からの塵の侵入を防止するだけでなく、振動等による、擦れ、摩耗等による内部での塵の発生を防止でき、被写体画像データに支障をきたさない撮像装置及び該撮像装置を備えた携帯端末を得ることが可能になった。
【図面の簡単な説明】
【図１】本発明の撮像装置を内蔵した携帯端末の一例である携帯電話機Ｔの外観図である。
【図２】本発明の第１の実施の形態の撮像装置の斜視図である。
【図３】撮像装置を図２に示すＦ−Ｆ線で切断した断面図である。
【図４】撮像装置を、弾性部材、上面枠、赤外カットフィルタ、蓋部材を取り外し上面から見た図である。
【図５】本発明の第２の実施の形態の撮像装置の斜視図である。
【図６】撮像装置を図５に示すＧ−Ｇ線で切断した断面図である。
【図７】撮像装置を、弾性部材、撮像光学系、上面枠、赤外カットフィルタ、蓋部材を取り外し上面から見た図である。
【図８】台座に形成される脚部の撮像素子との当接面形状の例を示した図である。
【図９】従来のＤカットによる回転方向の位置決めをおこなう場合の断面を示す図である。
【符号の説明】
１  第１レンズ
２  第２レンズ
３  第３レンズ
６  台座
７  赤外カットフィルタ
８  撮像素子
９  弾性部材
１１  プリント基板
１２  外枠部材
１３  蓋部材
１４  上面枠
【図１】
2005043394.tif 000003
【図２】
2005043394.tif 000004
【図３】
2005043394.tif 000005
【図４】
2005043394.tif 000006
【図５】
2005043394.tif 000007
【図６】
2005043394.tif 000008
【図７】
2005043394.tif 000009
【図８】
2005043394.tif 000010
【図９】
2005043394.tif 000011